(57)【特許請求の範囲】
【請求項１】
上面に開口部（２６）を有する収納ボックス（２１）をインストルメントパネル（１１）に設け、前記収納ボックス（２１）は前記インストルメントパネル（１１）の内部に格納される格納位置と前記インストルメントパネル（１１）から車室側に引き出される引出位置との間を移動可能である自動車用収納ボックス構造であって、
前記収納ボックス（２１）の上方の前記インストルメントパネル（１１）には該収納ボックス（２１）に収納した携帯機（２９）から延びる配線（３０）が接続される接続端子（３２）が設けられ、
前記格納位置において前記開口部（２６）の車室側の一部は車室内に開放しており、前記開口部（２６）の車室側縁部の車幅方向中央から前記収納ボックス（２１）の内部に向かって把持部（２２ａ）が突出し、前記把持部（２２ａ）の突出量は該把持部（２２ａ）の車幅方向両端側から車幅方向中央側に向かって増加することを特徴とする自動車用収納ボックス構造。
【請求項２】
前記把持部（２２ａ）は前記収納ボックス（２１）の内部に向かって斜め上方に突出することを特徴とする、請求項１に記載の自動車用収納ボックス構造。
【請求項３】
前記開口部（２６）の前記車室側縁部の車幅方向両端には上方に突出する突出部（２２ｂ）が形成され、前記配線（３０）は前記把持部（２２ａ）と前記突出部（２２ｂ）との間を通過可能であることを特徴とする、請求項１または請求項２に記載の自動車用収納ボックス構造。
【請求項４】
前記接続端子（３２）は前記開口部（２６）の車幅方向の幅内に配置されることを特徴とする、請求項１〜請求項３の何れか１項に記載の自動車用収納ボックス構造。
【発明の詳細な説明】
【技術分野】
【０００１】
本発明は、上面に開口部を有する収納ボックスをインストルメントパネルに設け、前記収納ボックスは前記インストルメントパネルの内部に格納される格納位置と前記インストルメントパネルから車室側に引き出される引出位置との間を移動可能である自動車用収納ボックス構造に関する。
【背景技術】
【０００２】
自動車の運転席および助手席の間に位置するインストルメントパネルに、上面に開口部を有する収納ボックスを車室側に引き出し可能に設けたものが、下記特許文献１により公知である。
【先行技術文献】
【特許文献】
【０００３】
【特許文献１】特開２００７−３０７９７９号公報
【発明の概要】
【発明が解決しようとする課題】
【０００４】
ところで、スマートフォンやデジタルオーディオ機器のような携帯機を車内に持ち込み、インストルメントパネルに設けたＵＳＢ端子のような接続端子に接続して使用する場合、インストルメントパネルの収納ボックスを携帯機の置き場所として利用することが考えられる。この場合、携帯機の配線が収納ボックスの上面開口部から出てインストルメントパネルの接続端子に延びるため、配線が収納ボックスの開閉操作の邪魔になったり、複数の配線どうしが絡み合ったりして操作性や美観を損ねる可能性がある。
【０００５】
本発明は前述の事情に鑑みてなされたもので、インストルメントパネルに設けた収納ボックスに収納した携帯機から接続端子に向かって延びる配線が邪魔にならないようにすることを目的とする。
【課題を解決するための手段】
【０００６】
上記目的を達成するために、請求項１に記載された発明によれば、上面に開口部を有する収納ボックスをインストルメントパネルに設け、前記収納ボックスは前記インストルメントパネルの内部に格納される格納位置と前記インストルメントパネルから車室側に引き出される引出位置との間を移動可能である自動車用収納ボックス構造であって、前記収納ボックスの上方の前記インストルメントパネルには該収納ボックスに収納した携帯機から延びる配線が接続される接続端子が設けられ、前記格納位置において前記開口部の車室側の一部は車室内に開放しており、前記開口部の車室側縁部の車幅方向中央から前記収納ボックスの内部に向かって把持部が突出し、前記把持部の突出量は該把持部の車幅方向両端側から車幅方向中央側に向かって増加することを特徴とする自動車用収納ボックス構造が提案される。
【０００７】
また請求項２に記載された発明によれば、請求項１の構成に加えて、前記把持部は前記収納ボックスの内部に向かって斜め上方に突出することを特徴とする自動車用収納ボックス構造が提案される。
【０００８】
また請求項３に記載された発明によれば、請求項１または請求項２の構成に加えて、前記開口部の前記車室側縁部の車幅方向両端には上方に突出する突出部が形成され、前記配線は前記把持部と前記突出部との間を通過可能であることを特徴とする自動車用収納ボックス構造が提案される。
【０００９】
また請求項４に記載された発明によれば、請求項１〜請求項３の何れか１項の構成に加えて、前記接続端子は前記開口部の車幅方向の幅内に配置されることを特徴とする自動車用収納ボックス構造が提案される。
【発明の効果】
【００１０】
請求項１の構成によれば、上面に開口部を有する収納ボックスは、インストルメントパネルの内部に格納される格納位置とインストルメントパネルから車室側に引き出される引出位置との間を移動可能である。収納ボックスの上方のインストルメントパネルには収納ボックスに収納した携帯機から延びる配線が接続される接続端子が設けられるので、接続端子に接続して使用中の携帯器の置き場所に困ることがない。
【００１１】
収納ボックスの開口部の車室側縁部の車幅方向中央から該収納ボックスの内部に向かって把持部が突出し、把持部の突出量は該把持部の車幅方向両端側から車幅方向中央側に向かって増加するので、携帯機を収納した収納ボックスから接続端子に向かって延びる配線を把持部の両側に振り分けることが可能となり、把持部を掴む乗員の手が配線と干渉することが防止されて収納ボックスの操作性が向上するだけでなく、複数の配線どうしが絡み合うことが防止されて美観が向上する。
【００１２】
また請求項２の構成によれば、把持部は収納ボックスの内部に向かって斜め上方に突出するので、乗員が把持部を掴み易くなるだけでなく、収納ボックスに収納した携帯機の配線が把持部に乗り上げ難くなることで、収納ボックスの操作が一層容易になる。
【００１３】
また請求項３の構成によれば、開口部の車室側縁部の車幅方向両端には上方に突出する突出部が形成され、配線は把持部と突出部との間を通過可能であるので、配線を把持部および突出部間に挟んで位置決めすることで、携帯機を収納した収納ボックスを格納位置に移動させたときに、配線が収納ボックスの端部とインストルメントパネルとの間に挟まれ難くすることができる。
【００１４】
また請求項４の構成によれば、接続端子は開口部の車幅方向の幅内に配置されるので、携帯機を収納した収納ボックスを格納位置に移動させたときに、露出する配線の長さを最小限に抑えて乗員の邪魔になるのを防止することができる。
【図面の簡単な説明】
【００１５】
【図１】自動車の車室前部の斜視図。
【図２】図１の２方向矢視図。
【図３】図２の３方向矢視図。
【図４】図３に対応する作用説明図。
【図５】図２の５−５線断面図。
【図６】図５の６−６線断面図。
【発明を実施するための形態】
【００１６】
以下、図１〜図６に基づいて本発明の実施の形態を説明する。尚、本明細書における上下方向、左右方向（車幅方向）および前後方向とは、運転席に着座した乗員を基準として定義される。
【００１７】
図１に示すように、自動車の車室前部にはインストルメントパネル１１が配置されており、インストルメントパネル１１には運転席１２の前方に位置するメータパネル１３およびステアリングホイール１４と、助手席１５の前方に位置するグローブボックス１６とが設けられる。また運転席１２および助手席１５の間の前方にはモニタ１７、シフトレバー１８およびスイッチパネル１９が設けられ、それらの下方にはトレー２０および収納ボックス２１が設けられる。
【００１８】
図２〜図６に示すように、収納ボックス２１はインストルメントパネル１１に形成されて車室側を向いて開口する凹部１１ａ（図５参照）に装着されるもので、車体後方を向く前壁２２と、車体前方を向く後壁２３と、車幅方向外側を向く左右の側壁２４，２４と、下方を向く底壁２５とを備え、上面が開口部２６により開口している。インストルメントパネル１１の凹部１１ａの左右の内壁面から相互に接近する方向に延びる一対の支点ピン１１ｂ，１１ｂが、収納ボックス２１の左右の側壁２４，２４の下端に設けたピン孔２４ａ，２４ａに嵌合しており、収納ボックス２１は支点ピン１１ｂ，１１ｂを中心として前後方向に揺動することで、凹部１１ａに収納される格納位置（図３および図５の実線参照）と、凹部１１ａから後方（車室側）に引き出される引出位置（図４および図５の鎖線参照）との間を移動可能である。
【００１９】
インストルメントパネル１１の凹部１１ａには、弾性を有する金属線を折り曲げた左右一対のスプリング２７，２７（図５および図６参照）が装着されており、このスプリング２７，２７の上端に係合可能な係止爪２３ａ，２３ａが収納ボックス２１の後壁２３の左右両端上部に設けられる。従って、収納ボックス２１を前方に押すと係止爪２３ａ，２３ａがスプリング２７，２７に係合して収納ボックス２１を格納位置に保持することができ、収納ボックス２１を後方に引くと係止爪２３ａ，２３ａがスプリング２７，２７から離脱して収納ボックス２１が引出位置に移動させることができる。
【００２０】
収納ボックス２１が格納位置にあるとき、インストルメントパネル１１に設けた左右一対のストッパラバー２８，２８が収納ボックス２１の前壁２２の左右両端上部に当接することで、収納ボックス２１が格納位置に安定して保持される。またインストルメントパネル１１の凹部１１ａには左右一対の切欠き１１ｃ，１１ｃ（図５および図６参照）が形成されており、この切欠き１１ｃ，１１ｃの内部に収納ボックス２１の係止爪２３ａ，２３ａが移動可能に嵌合するとともに、収納ボックス２１が引出位置にあるときに係止爪２３ａ，２３ａが切欠き１１ｃ，１１ｃの前端に係合することで、収納ボックス２１を引出位置に停止させることができる。
【００２１】
図３および図５から明らかなように、収納ボックス２１が格納位置にあるとき、収納ボックス２１の上面の開口部２６はインストルメントパネル１１の凹部１１ａ内に完全に収納されず、その一部が車室内に開口する。開口部２６の一部を構成する収納ボックス２１の前壁２２の上縁の車幅方向中央部から、収納ボックス２１の内部に向かって台形状の把持部２２ａが斜め上前方に向けて角度θで（図５参照）突出する。台形状の把持部２２ａの前方への突出高さＨは、車幅方向中央部で最大であり、そこから車幅方向両端部に向かって漸減する。また開口部２６の一部を構成する収納ボックス２１の前壁２２の上縁の車幅方向両端部から、左右一対の突出部２２ｂ，２２ｂが上方に突出する。この突出部２２ｂ，２２ｂの前面は前記ストッパラバー２８，２８に当接可能に対向する。
【００２２】
収納ボックス２１を格納位置から引出位置に揺動させるには、収納ボックス２１の開口部２６の車室側の端縁に設けられた把持部２２ａに指を掛けて手前に引けば良い。収納ボックス２１が格納位置にあっても、把持部２２ａが設けられた開口部２６の一部は車室側に開放しているため、把持部２２ａに指を掛けることができる。しかも把持部２２ａは前方に向かって斜め上方に角度θで傾斜しているため、把持部２２ａに指を掛けるのが容易である。逆に、収納ボックス２１を引出位置から格納位置に揺動させるには、収納ボックス２１の前壁２２を前方に押せば良い。
【００２３】
収納ボックス２１の内部には、携帯電話やＵＳＢメモリ等の携帯機２９…が収納可能であり、携帯機２９…から延びる配線３０…の先端に設けたコネクタ３１…が、インストルメントパネル１１の凹部１１ａに上方に設けた複数の接続端子３２…に着脱自在に接続可能である。複数の接続端子３２…は、インストルメントパネル１１の凹部１１ａの幅Ｗ内に配置される（図５参照）。
【００２４】
次に、上記構成を備えた本発明の実施の形態の作用を説明する。
【００２５】
携帯電話やＵＳＢメモリ等の携帯機２９…を車載のオーディオ機器に接続して音楽等を楽しむには、携帯機２９…から延びる配線３０…の先端のコネクタ３１…をインストルメントパネル１１に設けた接続端子３２…に接続すれば良い。このとき、携帯機２９…の置き場所として収納ボックス２１を利用することで、携帯機２９…の置き場所を確保して車室内を整頓することができる。また収納ボックス２１を格納位置に閉じたときでも、収納ボックス２１の開口部２６の車室側の一部が僅かに開放しているため、その開口部２６を通して携帯機２９…の配線３０…を接続端子３２…に向けて引き出すことが可能となり、収納ボックス２１を半開きのままにする必要がなくなって美観が向上する。
【００２６】
また収納ボックス２１に複数の携帯機２９…を収納した場合に、複数の配線３０…が絡み合って美観を損ねたり、配線３０…が邪魔をして把持部２２ａに指を掛け難くなったりする可能性がある。しかしながら、本実施の形態によれば、台形状の把持部２２ａの前方への突出高さＨが車幅方向両端部から車幅方向中央部に向かって増加するため、収納ボックス２１の開口部２６から引き出される配線３０…は、把持部２２ａの傾斜したエッジに案内されて右側あるいは左側に自動的に移動し、把持部２２ａ上に停止して指を掛ける際に邪魔になることが防止される。
【００２７】
特に、前壁２２の上縁から収納ボックス２１の内部に向かって突出する把持部２２ａは、角度θで斜め上前方に向けて傾斜するので（図５参照）、収納ボックス２１から延びる携帯機２９…の配線３０…が把持部２２ａに乗り上げ難くなることで、収納ボックス２１の把持部２２ａの操作が一層容易になる。
【００２８】
また収納ボックス２１の開口部２６から引き出される配線３０…が車幅方向外側に偏り過ぎると、収納ボックス２１を引出位置から格納位置に揺動させる際に、配線が収納ボックス２１の側壁２４，２４とインストルメントパネル１１の凹部１１ａとの間に噛み込んでしまう可能性がある。しかしながら、本実施の形態によれば、収納ボックス２１の前壁２２の上縁の車幅方向両端部から左右一対の突出部２２ｂ，２２ｂが上方に突出するので、配線３０…が車幅方向外側に偏り過ぎてインストルメントパネル１１の凹部１１ａとの間に噛み込む事態を確実に防止することができる。
【００２９】
以上のように、収納ボックス２１に収納した携帯機２９…から引き出される配線３０…は、把持部２２ａおよび左右一対の突出部２２ｂ，２２ｂに挟まれた二つの位置の一方あるいは両方に安定的に位置決めされるので、配線３０…が絡まったり噛み込んだりするのを防止することができ、これにより収納ボックス２１の開閉操作の操作性を高めるとともに、配線３０…をすっきり纏めて美観を高めることができる。
【００３０】
しかも接続端子３２…はインストルメントパネル１１の凹部１１ａの幅Ｗ内に配置されるので（図２参照）、収納ボックス２１の開口部２６と接続端子３２…とをできるだけ接近させることで、収納ボックス２１から露出する配線３０…の長さを最小限に抑えて乗員の邪魔になるのを防止することができる。
【００３１】
以上、本発明の実施の形態を説明したが、本発明はその要旨を逸脱しない範囲で種々の設計変更を行うことが可能である。
【００３２】
例えば、実施の形態の収納ボックス２１は格納位置と引出位置との間を揺動するものであるが、格納位置と引出位置との間をスライドするものであっても良い。
【００３３】
また実施の形態ではインストルメントパネル１１に４個の接続端子３２…を備えているが、接続端子３２…の数は任意である。
【符号の説明】
【００３４】
１１        インストルメントパネル
２１        収納ボックス
２２ａ      把持部
２２ｂ      突出部
２６        開口部
２９        携帯機
３０        配線
３２        接続端子
【図１】
0005570583.tif 000002
【図２】
0005570583.tif 000003
【図３】
0005570583.tif 000004
【図４】
0005570583.tif 000005
【図５】
0005570583.tif 000006
【図６】
0005570583.tif 000007